(57)【特許請求の範囲】
【請求項１】
ベイト剤を含有した第１餌木を建築物の周囲又は床下に位置する土壌面又は土壌中に第１間隔をおきながら複数設置する第１設置ステップと、
第１餌木同士が離間した第１間隔において蟻道形成を阻止するよう、前記建築物の基礎、束石、床束、土台、大引、柱、土間コンクリート、床コンクリート、根太、及び外壁部材を含んだ構造部材の少なくとも一つに忌避剤を塗布する塗布ステップと、
を含み、かつ、
前記忌避剤が硫黄粉体であり、
前記構造部材の少なくとも一つの部材自体に第２間隔又は第３間隔を置きながら穿孔し、複数の開口穴を形成する穿孔ステップと、
前記構造部材への蟻道形成を阻止するよう、ベイト剤を含有しかつ前記開口穴に適合可能な棒状体を成す第２餌木を各開口内に設置する第２設置ステップと、
をさらに含むことを特徴とする建築物の防蟻方法。
【請求項２】
前記穿孔ステップでは、第１餌木と第２餌木とが互い違いに配置され若しくは第２間隔又は第３間隔が第１間隔より小さくなるように、前記開口穴を形成することを特徴とする請求項１に記載の建築物の防蟻方法。
【請求項３】
前記穿孔ステップでは、前記開口穴を設ける前記構造部材として前記基礎及び前記土台の少なくとも一方を選択し、かつ、前記開口穴として、床下空間に面した前記構造部材の一方の表面から、他の床下空間、外部空間又は地中に面した他の表面まで貫通させた貫通孔を設けることを特徴とする請求項１又は請求項２に記載の建築物の防蟻方法。
【請求項４】
前記開口穴の少なくとも一つに開閉可能な点検蓋をさらに設ける蓋設置ステップをさらに含むことを特徴とする請求項１〜３のいずれかに記載の建築物の防蟻方法。
【請求項５】
前記構造部材に蟻道形成又はシロアリ被害が確認或いは予測された場合に、前記構造部材上の確認或いは予測された箇所及びその周辺に、ベイト剤を含有した第３餌木を設置する第３設置ステップをさらに含むことを特徴とする請求項１〜４のいずれかに記載の建築物の防蟻方法。
【請求項６】
ベイト剤を含有した第１餌木を建築物の周囲又は床下に位置する土壌面又は土壌中に第１間隔をおきながら複数設置する第１設置ステップと、
第１餌木同士が離間した第１間隔において蟻道形成を阻止するよう、前記建築物の基礎、束石、床束、土台、大引、柱、土間コンクリート、床コンクリート、根太、及び外壁部材を含んだ構造部材の少なくとも一つに忌避剤を塗布する塗布ステップと、
を含み、かつ、
前記忌避剤が硫黄粉体であり、
前記構造部材に蟻道形成又はシロアリ被害が確認或いは予測された場合に、前記構造部材上の確認或いは予測された箇所及びその周辺に、ベイト剤を含有した第３餌木を設置する第３設置ステップをさらに含むことを特徴とする建築物の防蟻方法。
【請求項７】
第１設置ステップでは、第１間隔が、駆除対象のシロアリの種別に応じて、０．５〜５ｍの範囲から選択されることを特徴とする請求項１〜６のいずれかに記載の建築物の防蟻方法。
【請求項８】
第１配置ステップでは、第１餌木の一部を、基礎又は束石に隣接した土壌面に設置することを特徴とする請求項１〜７のいずれかに記載の建築物の防蟻方法。
【請求項９】
第１餌木として、直方体、又は底面に錐体が設けられた柱状体を成す木材を使用し、
第２餌木として、円形断面を有した棒状体を成す木材を使用することを特徴とする請求項１〜５，７，８のいずれかに記載の建築物の防蟻方法。
【請求項１０】
第３餌木として、矩形断面を有した棒状体を成す木材を使用することを特徴とする請求項５〜９のいずれかに記載の建築物の防蟻方法。
【発明の詳細な説明】
【技術分野】
【０００１】
本発明は、シロアリから建築物を守るための建築物の防蟻方法に関し、より具体的には、シロアリを建築物本体に寄せ付けずに、建築物周辺にベイト剤含有餌木を配置してシロアリを誘引し、該餌木を食べさせてシロアリを駆除する建築物の防蟻方法に関する。
【背景技術】
【０００２】
（従来の薬剤散布方法の概要及びその問題点）
家屋等の建築物をシロアリから守るために従来から一般に用いられているシロアリ駆除方法として、薬剤散布方法が知られている。そして、シロアリ駆除用の散布薬剤として、古い順に、亜ヒ酸、クロルデン等の有機塩素系化合物、有機リン系化合物が使用されてきた。このうち、有機塩素系化合物は、環境汚染や生態系への影響、さらにはシックハウス症候群等の居住空間への弊害があることが明らかになり、使用中止になっている。
【０００３】
最近の主流はピレスロイド系化合物やネオニコチノイド系化合物を含有した薬剤である。しかしながら、これら主流の薬剤は何れも、人や動物の神経に影響を及ぼすものであり、注意欠陥多動性障害（ＡＤＨＤ）や自閉症の原因になることが分かってきている。なお、現在は、以上の弊害を極力減らし生態系への安全性を保つために揮発性を少なくした水性の製剤が使用されている。
【０００４】
ところで、シロアリは土中深く又は木材の中に生息しているが、現在の水性薬剤は上述のとおりその揮発性が抑えられているため、この薬剤にシロアリを直接触れさせなければシロアリを駆除することが出来ない。従って、従来のシロアリ駆除では、土壌表面等に対し、多量（例えば、１ｍ２当たり３Ｌ以上）の薬剤が散布されるのが通常であり、駆除の為に非常にコストや時間が掛っていた。特に、建築物が工場等の特殊大型建築物である場合には、工場床下や工場周囲の敷地は広大であるため薬剤散布量は膨大になる。
【０００５】
さらに、建築物（特に床下）は、複雑な構造で作られており、人の手が入りにくい場所であるため、その周辺に生息するシロアリの全てに水性薬剤を確実に接触させることは不可能である。また、薬剤効果もさほど長く残留しない。
【０００６】
このように、薬剤散布による従来のシロアリ駆除方法では、建築物周辺に生息するシロアリを完全かつ確実に駆除できないだけでなく、居住者への安全性も充分に担保できるものでもなかった。
【０００７】
（従来のベイト工法の概要）
一方、薬剤を散布しない駆除方法として、脱皮成長抑制剤（ベイト剤）を利用し、これをシロアリにその巣まで持ち帰らせることにより、巣に生息するシロアリをまとめて根絶できるベイト工法も知られている（特許文献１〜３）。本願の発明者も、餌木本体にロール状シートからなるベイト剤を装填したシロアリ駆除用餌木ブロックを既に提案している（特許文献４）。
【０００８】
（従来のベイト工法の問題点）
しかしながら、既提案の餌木ブロックは、他の木材等の無い庭などの土表面に配置する場合にはその効果を発揮し易いが、建築物周辺又は床下等の建築物内においては、以下の理由から、既提案の餌木ブロックを単に配置しただけではその効果が限定的であった。
【０００９】
具体的には、建築物は、餌木ブロックと同様にシロアリが好む木材から主として構成されているため、シロアリが餌木ブロックに誘引されずに、直接、建築物を構成する木材（例えば、床束、大引、土台）に誘引されてしまうことが多かった。つまり、餌木ブロックを配置しても、シロアリの蟻道が、その巣から、餌木ブロックへ向かうこと無く、建築物へ延びてしまい、餌木ブロックを有効利用できない場合が生じていた。
【先行技術文献】
【特許文献】
【００１０】
【特許文献１】特表２０００−５０３８４４号公報
【特許文献２】特表２００７−５２３１７２号公報
【特許文献３】特開２００２−３１５４９３号公報
【特許文献４】登実３１４３８２６号公報
【発明の概要】
【発明が解決しようとする課題】
【００１１】
本発明は、このような従来のシロアリ駆除方法の問題点に鑑みて提案されたものであり、シロアリ駆除率が極めて高く、かつ、人体に対する安全性にも配慮した建築物の防蟻方法を提供することを目的とする。
【００１２】
また、本発明のもう一つの目的は、工場等の特殊大型建築物へも対応可能な建築物の防蟻方法を提供することである。
【００１３】
さらに、本発明のもう一つの目的は、施工開始から防蟻効果を長時間維持できる建築物の防蟻方法を提供することである。
【課題を解決するための手段】
【００１４】
本発明者は、シロアリの習性や行動を長年、鋭意検討した末、建築物への蟻道形成を阻害可能な忌避剤を見出し、この忌避剤と、シロアリ誘引用餌（既提案の餌木ブロック）とを建築物内で上手く組み合わせて利用すれば、上記課題が解決されることを見出し、本発明を完成するに至った。
【００１５】
すなわち、本発明では、例えば、次の構成・特徴を採用する。
（態様１）
ベイト剤を含有した第１餌木を建築物の周囲又は床下に位置する土壌面又は土壌中に第１間隔をおきながら複数設置する第１設置ステップと、
第１餌木同士が離間した第１間隔において蟻道形成を阻止するよう、前記建築物の基礎、束石、床束、土台、大引、柱、土間コンクリート、床コンクリート、根太、及び外壁部材を含んだ構造部材の少なくとも一つに忌避剤を塗布する塗布ステップと、
を含み、かつ、
前記忌避剤が硫黄粉体であり、
前記構造部材の少なくとも一つの部材自体に第２間隔又は第３間隔を置きながら穿孔し、複数の開口穴を形成する穿孔ステップと、
前記構造部材への蟻道形成を阻止するよう、ベイト剤を含有しかつ前記開口穴に適合可能な棒状体を成す第２餌木を各開口内に設置する第２設置ステップと、
をさらに含むことを特徴とする建築物の防蟻方法。
（態様２）
前記穿孔ステップでは、第１餌木と第２餌木とが互い違いに配置され若しくは第２間隔又は第３間隔が第１間隔より小さくなるように、前記開口穴を形成することを特徴とする態様１に記載の建築物の防蟻方法。
（態様３）
前記穿孔ステップでは、前記開口穴を設ける前記構造部材として前記基礎及び前記土台の少なくとも一方を選択し、かつ、前記開口穴として、床下空間に面した前記構造部材の一方の表面から、他の床下空間、外部空間又は地中に面した他の表面まで貫通させた貫通孔を設けることを特徴とする態様１又は態様２に記載の建築物の防蟻方法。
（態様４）
前記開口穴の少なくとも一つに開閉可能な点検蓋をさらに設ける蓋設置ステップをさらに含むことを特徴とする態様１〜３のいずれかに記載の建築物の防蟻方法。
（態様５）
前記構造部材に蟻道形成又はシロアリ被害が確認或いは予測された場合に、前記構造部材上の確認或いは予測された箇所及びその周辺に、ベイト剤を含有した第３餌木を設置する第３設置ステップをさらに含むことを特徴とする態様１〜４のいずれかに記載の建築物の防蟻方法。
（態様６）
ベイト剤を含有した第１餌木を建築物の周囲又は床下に位置する土壌面又は土壌中に第１間隔をおきながら複数設置する第１設置ステップと、
第１餌木同士が離間した第１間隔において蟻道形成を阻止するよう、前記建築物の基礎、束石、床束、土台、大引、柱、土間コンクリート、床コンクリート、根太、及び外壁部材を含んだ構造部材の少なくとも一つに忌避剤を塗布する塗布ステップと、
を含み、かつ、
前記忌避剤が硫黄粉体であり、
前記構造部材に蟻道形成又はシロアリ被害が確認或いは予測された場合に、前記構造部材上の確認或いは予測された箇所及びその周辺に、ベイト剤を含有した第３餌木を設置する第３設置ステップをさらに含むことを特徴とする建築物の防蟻方法。
（態様７）
第１設置ステップでは、第１間隔が、駆除対象のシロアリの種別に応じて、０．５〜５ｍの範囲から選択されることを特徴とする態様１〜６のいずれかに記載の建築物の防蟻方法。
（態様８）
第１配置ステップでは、第１餌木の一部を、基礎又は束石に隣接した土壌面に設置することを特徴とする態様１〜７のいずれかに記載の建築物の防蟻方法。
（態様９）
第１餌木として、直方体、又は底面に錐体が設けられた柱状体を成す木材を使用し、
第２餌木として、円形断面を有した棒状体を成す木材を使用することを特徴とする態様１〜５，７，８のいずれかに記載の建築物の防蟻方法。
（態様１０）
第３餌木として、矩形断面を有した棒状体を成す木材を使用することを特徴とする態様５〜９のいずれかに記載の建築物の防蟻方法。
【発明の効果】
【００１６】
本発明によれば、ベイト剤入りの餌木ブロックを土壌面に所定間隔を置きながら複数個設置されるとともに、忌避剤として機能する硫黄粉体が、土壌面に近い建築物の構造部材に塗布されるため、シロアリが確実にいずれかの餌木ブロックに誘引されることになり、極めて高いシロアリ駆除率が達成される。また、ベイト剤及び硫黄粉体は、人体に対する影響は殆どないため、人体及び生態系への安全性を担保することができる。さらに、ベイト剤や硫黄粉体は分解しにくい材料であるため、一旦、本発明の方法を施工すれば、施工開始から防蟻効果を長時間維持することができる。つまり、本発明の方法に対して、長期の予防期間を保証することができる。
【図面の簡単な説明】
【００１７】
【図１】本発明の方法で利用する第１・第２・第３餌木を説明した図である。
【図２】本発明の各施工ステップを説明したフローチャートである。
【図３】建築物床下周辺の構造物や土壌について説明した斜視図及び断面図である。
【図４】建築物床下周辺の構造物や土壌について説明した平面図である。
【図５】実験的に施工した実施例を示した画像である。
【図６】実験的に施工した実施例を示した画像である。
【発明を実施するための形態】
【００１８】
以下、本発明を図面に示す実施の形態に基づき説明するが、本発明は、下記の具体的な
実施形態に何等限定されるものではない。
【００１９】
図１〜図６は、本発明の建築物の防蟻方法について説明した図である。先ず、図１を参照しながら、本発明の方法においてシロアリ誘引剤として利用する第１・第２・第３餌木１０，２０，３０について説明する。
【００２０】
（第１餌木（餌木ブロック）の概要）
第１餌木１０の構造についてより詳細に説明する。図１（Ａ）に示すように、第１餌木１０は、六面からなる立方体（好ましくは、直方体（ブロック形状））をなす餌木本体１１と、蓋部材１２と、を備える。本実施例の餌木本体１１の材料は木材であるが、シロアリが食する材料であればこれに限定されない。また、本実施例の蓋部材１２の材料も同様に木材であるが、餌木本体１１の後述する空洞部に蓋をする機能を有すれば必ずしも木材に限定されない。
【００２１】
なお、本実施例の第１餌木１０は直方体を成すが、その形状はこれに限定されず、例えば、本発明者が既に考案・開示した「底面に錐体が設けられた柱状体」を用いても良い（特許文献４の実施例２を参照）。該柱状体を第１餌木１０として採用した場合には、該柱状体の錐体を地中に向け、この錐体が設けられていない他端側からハンマー等で短叩すれば、比較的固い土壌においても第１餌木１０を容易に地中に埋設或いは配置することができるようになる。
【００２２】
（第１餌木（餌木ブロック）の構造）
図１（Ｂ）は、図１（Ａ）の第１餌木１０を同図のＢ−Ｂ’に沿って破断した断面図であり、餌木ブロック１０の餌木本体１１は、立方体六面のうちの一面１１ｃの中央において開口した空洞部１４が設けられている。空洞部１４は、例えば、ドリル等を利用した穴加工で形成可能である。この空洞部１４は円筒形をなす中空穴であり、上述の通り面１１ｃの中央に開口部１４ａを有するが、面１１ｃと対向する面１１ｄまで貫通しておらず餌木本体１１内部に底部１４ｂを有する。この空洞部１４の底部１４ｂに、殺蟻成分を含有したシートをロール状に巻いたベイト剤１３が載置され、この空洞部１４の開口部１４ａに上述の蓋部材１２が、その一面が餌木本体１１の面１１ｃと面一となるまで押し込まれる。これにより、ベイト剤１３は蓋部材１２により餌木本体１１に内封され、蓋部材１２が餌木本体１１に堅持される。また、必要に応じて、木工用ボンド等の接着剤を用いて蓋部材１２を餌木本体１１に接着させてもよい。
【００２３】
（第２・第３餌木（追加棒状体）の構造）
また、第２・第３餌木２０，３０も、第１餌木１０と同様に、餌木本体２１，３１と、蓋部材２２，３２と、ベイト剤２３，３３と、を備える（図１（Ｃ）〜（Ｆ））。ここで、図１（Ｄ）は、図１（Ｃ）の第２餌木２０を同図のＤ−Ｄ’に沿って破断した断面図であり、一方、図１（Ｆ）は、図１（Ｅ）の第３餌木３０を同図のＦ−Ｆ’に沿って破断した断面図である。第２餌木２０の構成部材２１，２２，２３や第３餌木３０の構成部材３１，３２，３３が果たす各機能は、上述の第１餌木１０の構成部材１１，１２，１３が果たす各機能と同様であるので、ここでの説明は省略する。しかしながら、第２・第３餌木２０，３０が、ブロック状の第１餌木１０と異なり、棒状（スティック状）を成すことが好ましい点に留意されたい。ここで、後述するステップＳ４にて開口穴５に挿入される第２餌木２０は円柱状を成すことがさらに好ましく（図１（Ｃ）及び（Ｄ）を参照）、一方、後述するステップＳ６に使用される第３餌木３０は角柱状に形成されることがさらに好ましい（図１（Ｅ）及び（Ｆ）を参照）。
【００２４】
棒状体を成す第２・第３餌木２０，３０の場合、第１餌木１０の空洞部１４と同様に、餌木本体２１，３１を垂直に立設させた状態に維持しながら両端の内のいずれか一端の端面にドリル加工することで空洞部を形成してもよい。しかしながら、より高い加工精度が要求されるとともに、上記棒状体に適合した細長い形状のベイト剤２３，３３を差し込んでいくのは容易ではない等のデメリットがある。
【００２５】
このようなデメリットを解消する対策の一つとして、餌木本体２１，３１を水平に置いた状態で固定しつつ外周面或いは側面から軸方向に延びるように溝を加工し、この溝を第２・第３餌木２０，３０の空洞部２４，３４としてもよい。蓋部材２２，３２も、空洞部２４，３４としての溝及びこれに対応したベイト剤２３，３３の全体を覆い隠すよう軸方向に延びたものをあてがうのが好ましい。
【００２６】
（ベイト剤の概要）
次に、ベイト剤１３，２３，３３について詳述する。ベイト剤１３，２３，３３は紙（シート）状のセルロースに殺蟻成分を含浸させたものである。殺蟻成分は、遅効性で非忌避性（忌避性の無い特性）を発揮するものが好ましい。ここで、遅効性とは、薬剤の効果が比較的遅く（一定の時間が経過してから）発揮する性質を意味し、非忌避性とは、シロアリの習性には近くで仲間が死んだりするとその原因となる危険を回避する警戒能力（忌避性）があり、このシロアリの忌避性を薬剤が生じさせないことを意味する。
【００２７】
（ベイト剤の例示）
ベイト剤１３，２３，３３の殺蟻成分の具体例として、昆虫成長抑制剤を使用することが好ましい。昆虫成長抑制剤すなわちＩＧＲ剤（Insect growth regulators）は、脱皮阻害剤とも呼ばれ、昆虫が発育していく過程における昆虫特有の生理（脱皮、蛹化、羽化、産卵等）を阻害する事により殺虫効果を発現する薬剤の総称である。このＩＧＲ剤のうち、キチン生合成を阻害する薬剤（例えば、ベンゾイルウレア系化合物）が好ましい。
【００２８】
（ベイト剤の効果）
この脱皮阻害剤を含有したベイト剤１３，２３，３３の効果を説明する。シロアリには体の表面を清潔に保つ習性があり、仲間同士でお互いを舐め合い身繕いを行う行動（グルーミング行動）がある。本発明のベイト剤１３，２３，３３は、脱皮の時期がきて脱皮抑制効果（遅効性）を発揮するため、餌場にきたシロアリに忌避行動をとらせることはない。従って、シロアリのグルーミング行動により薬剤の脱皮抑制効果が巣の中の他のシロアリにも伝播され、巣を完全に根絶することができる。
【００２９】
（防蟻方法のフロー）
本発明の方法は、図２に示すように、少なくとも以下のステップを含む。
【００３０】
（第１餌木（ブロック）の配置  Ｓ１）
先ず、図３や図４に示すように、ベイト剤１３を含有した第１餌木１０を建築物の周囲又は床下に位置する土壌面１ａ又は土壌１中に第１間隔Ｐ１をおきながら複数設置する（第１設置ステップ  Ｓ１）。
【００３１】
（ブロックの配置間隔Ｐ１の範囲）
なお、第１設置ステップＳ１では、第１間隔Ｐ１が、駆除対象のシロアリの種別に応じて、０．５〜５ｍの範囲から選択されることが好ましい。例えば、ヤマトシロアリを駆除する場合は、その巣や蟻道から離れて活動する範囲が狭いため、第１間隔Ｐ１を２ｍ以下（より好ましくは、Ｐ１＝０．５ｍ〜２ｍ）として第１餌木１０を配置していくのが良い。一方、イエシロアリを駆除する場合は、その巣や蟻道から離れて活動する範囲が広いため、第１間隔Ｐ１が０．５ｍ〜５ｍの範囲内であれば良いが、コスト面を考えると、Ｐ１＝２ｍ〜５ｍの範囲で選択するのが良い。
【００３２】
（忌避剤の塗布  Ｓ２）。
次に、第１餌木１０，１０同士が離間した第１間隔Ｐ１において蟻道３の形成を阻止するよう、図３や図４に示すように、建築物（図示せず）の基礎Ｃ１、束石Ｃ２、床束Ｃ３、土台Ｃ４、大引Ｃ５、柱Ｃ６、土間コンクリートＣ７、実施例で後述する床コンクリートＣ８、根太Ｃ９、及び外壁部材Ｃ１０を含んだ構造部材の少なくとも一つに忌避剤４を塗布する（塗布ステップ  Ｓ２）。この塗布ステップＳ２を実行することより、第１間隔Ｐ１おきに配置されたいずれかの第１餌木１０に直にシロアリが誘引されず、第１餌木１０、１０の間をすり抜けて土壌１中の巣から建築物床下のいずれかの木製部材を目指して進もうとしても、その途中には、第１餌木１０が配置されていない床下構造物の表面には忌避剤４が塗布されているため、シロアリが土壌面１ａから忌避剤４を塗布した面を這い上がって行く恐れは殆どない。従って、同じ木製部材の第１餌木１０に、飢えたシロアリが確実に誘引されていくことになる。
【００３３】
以上の本発明の効果を確実ならしめるために、第１配置ステップＳ１において、第１餌木１０の一部を、基礎Ｃ１（さらに好ましくは、図４に示すような基礎Ｃ１の隅部（コーナー部））又は束石Ｃ２に隣接した土壌面１ａに設置（若しくは、餌木１０の一部又は全部を土壌１中に埋設）することが好ましい。シロアリが床下の土壌面１ａから建築物へ這い上がる可能性の高い主要な経路として、基礎及Ｃ１及び束石Ｃ２が考えられるからである。
【００３４】
（忌避剤の原材料）。
上述の塗布ステップＳ２では、忌避剤４が硫黄粉体であることを特徴とすることに留意されたい。なお、硫黄粉体は、ベイト剤１３と同様に、人体に対する影響は殆どないため、人体及び生態系への安全性を担保することができる。さらに、硫黄粉体は、ベイト剤１３と同様に、分解しにくい材料であるため、一旦、本発明を施工すれば、施工開始から防蟻効果を長時間維持することができる。つまり、本発明の方法に対して、長期の予防期間を保証することができる。
【００３５】
（建築物構造部材への穿孔及び第２餌木（スティック）の挿入  Ｓ３及びＳ４）
さらに、建築物の構造部材Ｃ１〜Ｃ１０の少なくとも一つの部材自体に第２間隔Ｐ２（及び第３間隔Ｐ３）を置きながら穿孔し、複数の開口穴５を形成してもよい（穿孔ステップ  Ｓ３）。そして前記構造部材Ｃ１〜Ｃ１０への蟻道３の形成を阻止するよう、ベイト剤２３を含有しかつ開口穴５の内径及び深さに適合可能な細長棒状体を成す第２餌木２０を各開口穴５内に設置するようにしてもよい（第２設置ステップ  Ｓ４）。なお、図３（Ｂ）では、基礎Ｃ１の一側面に、第１間隔Ｐ１より狭くした第２間隔Ｐ２を置きながら複数の開口穴５を設け、その開口穴５毎に第２餌木２０を挿入するとともに、更に土台Ｃ４の一側面にも第２間隔Ｐ２より狭くした第３間隔Ｐ３を置きながら複数の開口穴５を設けており、その開口穴５毎に第２餌木２０を挿入した例（第２餌木２０の多段設置の例）を示す。
【００３６】
これにより、例えば、基礎Ｃ１や束石Ｃ２に忌避剤４が上手く塗布されておらず、その部分からシロアリが床下構造物に進入したとしても、ベイト剤２３入りの第２餌木２０も巣２に持ち帰って食べることになるので、被害を最小限にとどめることができるのである。なお、シロアリ被害を有効に抑えるには、土壌面１ａに近い、基礎Ｃ１、束石Ｃ２や床束Ｃ３等に開口穴５を設けて第２餌木２０を装填するのが好ましい。
【００３７】
（基礎及び土台への開口穴（貫通孔）の設置）
上述の穿孔ステップＳ３では、開口穴５を設ける構造部材として基礎Ｃ１及び土台Ｃ４の少なくとも一方を選択し、かつ、開口穴５として、床下空間に面した前記構造部材Ｃ１，Ｃ４の一方の表面Ａ１から、他の床下空間、外部空間又は地中（土壌１中）に面した他の表面Ａ２まで貫通させた貫通孔を設けることがさらに好ましい（図３及び図４の各図を参照）。なお、貫通孔５を設ける際には、貫通される部分が地中、床下、又は外壁部材Ｃ１０に覆われる範囲内など、人の目に触れないように設けることが好ましい。
【００３８】
（開口穴（貫通孔）の設置の効果）
このような貫通孔５を設けることにより、図３や図４に示すように、これらの貫通孔５に挿入された第２餌木２０は、床下反対側の他の床下空間や外部空間又は人間が入っていくことが出来ない地中にも第２餌木２０が露出することになり、構造部材Ｃ１，Ｃ４を越えた外部空間（他の床下空間を含む。）あるいは地中に生息するシロアリの駆除をも行えるようになるといった画期的な効果をも発揮することになる。
【００３９】
（土間コンクリート等への防蟻処置）
また、図３（Ａ）に示すように、屋外の土間コンクリートＣ７にも、開口穴５を設けて第２餌木２０を装填するのが好ましい（屋内の床コンクリートＣ８への施工も同様に好ましい）。土間コンクリートＣ７等は、通常、広い範囲で土壌面１ａをコンクリートで覆っているため、土間コンクリートＣ７の下にシロアリの巣２があった場合には、シロアリは餌を探すために横方向（水平方向）に遠距離移動せねばならない。従って、土間コンクリートＣ７の直下に土中深く延びた第２餌木２０が配置されれば、シロアリは遠くに行かずとも餌にありつけるため、より確実に第２餌木２０に誘引され、これに含有されたベイト剤２３を巣２に持ち帰ることになる。
【００４０】
（開口穴への蓋の設置  Ｓ５）
また、図３（Ａ）に示すように、開口穴５に開閉可能な点検蓋６をさらに設けてもよい（蓋設置ステップ  Ｓ５）。特に、土間コンクリートＣ７は、その表面が建築物外部に露出しており、人目につきやすく、かつ通行量もあるため、外観や安全面の向上から開口穴５に蓋をしておくことが好ましい。しかしながら、一旦、コンクリート等で完全に開口穴５に蓋をしてしまうと、第２餌木２０の状況確認・交換等を随時行うことができない。従って、開閉可能な点検蓋６を開口穴５に設置することにより、これらの不具合に効果的に対処できる。
【００４１】
（第１・第２餌木のピッチ）
また、穿孔ステップＳ３では、第１餌木１０と第２餌木２０とが（１）互い違いに配置され若しくは（２）第２間隔Ｐ２が第１間隔Ｐ１より小さくなるように、開口穴５を形成することが好ましい。前者の（１）の場合、第１餌木１０同士の間隔（第１間隔Ｐ１）を約２ｍとした場合、第２餌木２０同士の間隔（第２間隔Ｐ２）を同様に約２ｍとし、かつ、第２間隔Ｐ２の基点となる開口穴５を第１間隔Ｐ１の基点となる第１餌木１０の設置位置から約１ｍずらすようにしてもよい。一方、後者の（２）の場合、第２間隔Ｐ２として、第１間隔Ｐ１の２ｍより小さい距離（例えば、１ｍ）を選ぶようにしてもよい。
【００４２】
また、図３（Ａ）に示すように、第２餌木２０を多段的に配置する場合には、後段の第３間隔Ｐ３を前段の第２間隔Ｐ２と略同じに設定して互い違いに配置するか、第３間隔Ｐ３を第２間隔Ｐ２より小さい距離（例えば、０．５ｍ）を選ぶようにすることが好ましい。図示しないが、シロアリ進行方向に沿って、第２・第３餌木２０，３０をさらに配置する場合、これに対応した第４間隔以降も同様の方法で、離間距離を設定することが好ましい。
【００４３】
以上のように第２・第３間隔Ｐ２，Ｐ３を設定すれば、第１餌木１０の間を摺り抜けて床下構造物（図３の例では、基礎Ｃ１）を這い上がってきたシロアリが、第２餌木２０近くを通過し、誘引される可能性が極めて高くなる。
【００４４】
（第３餌木の設置  Ｓ６）
さらに、構造部材Ｃ１〜Ｃ１０に蟻道３の形成又はシロアリ被害が確認或いは予測された場合に、構造部材Ｃ１〜Ｃ１０上の確認或いは予測された箇所及びその周辺に、ベイト剤３３を含有した第３餌木３０を設置するようにしてもよい（第３設置ステップ  Ｓ６）。より具体的には、図３（Ａ）及び（Ｂ）に示すように、構造部材（例えば、柱Ｃ６や土台Ｃ４）の近く（例えば、基礎Ｃ１の表面）に蟻道３や被害が確認された場合に、予防の為又はこれ以上被害を防止する為に、細長角柱体を成す第３餌木３０を構造部材の表面に沿わせて取り付けるようにする。言い換えれば、その表面に塗布された忌避剤４や、第１・第２間隔Ｐ１，Ｐ２に設置された第１・第２餌木１０，２０を摺りぬけて、シロアリが土壌面１ａや土壌１から構造部材Ｃ１〜Ｃ１０上を這い上がってきたとしても、その進行方向に対して直交する方向に第３餌木３０が構造部材Ｃ１〜Ｃ１０に設けられるため、蟻道３の進路を完全に阻止することができる。なお、第３餌木３０の構造部材への取り付けは、釘、クランプ、接着剤等、公知の接続手段を用いることができる。
【実施例】
【００４５】
次に、図５〜図６を参照しながら、実験的に施工した例を幾つか示す。
【００４６】
図５（Ａ）及び（Ｂ）は、土台Ｃ４にドリルＤＲで穿孔し、開口穴５を形成し、第２餌木２０を差し込んだ状態を示す。また、図５（Ｃ）〜（Ｆ）は、床コンクリートＣ８にドリルＤＲで穿孔し、開口穴５を形成し、その開口穴５に第２餌木２０を挿入した状態を示す。挿入後に開口穴５が隠れるよう、その上側から点検蓋６を配設した（図５（Ｅ）及び（Ｆ）を参照）。
【００４７】
また、図６（Ａ）〜（Ｃ）は、土台Ｃ４、束石Ｃ２、床束Ｃ３の周囲に第３餌木３０を取り付けた施工例を示す。なお、図６（Ａ）中、基礎Ｃ１の表面には蟻道３の形成が確認され、その蟻道３を阻止するように第３餌木３０を取り付けていることに留意されたい。また、本発明の防蟻方法を実験的に施工した例では、ヤマトシロアリの駆除率は１００％であった。１つの現場のみならず現場を幾つか変えて同様の実証試験を行い、その後の駆除経過を確認したが、本発明の方法を試した全ての現場で駆除率１００％を確認できた。
【００４８】
なお、本発明者は長年、シロアリ駆除を専門的に取り扱っており、本発明者が培った経験によれば、ブロック状の第１餌１０を利用することでシロアリの駆除率は向上するが、第１餌木１０のみを適当に建築物の周囲或いは床下に設置しただけでは、駆除率１００％を達成することは難しかった。しかし、この第１餌木１０に加えて本発明の方法での処理（創意工夫）を組み合わせることで、駆除率１００％をいとも簡単に達成することを確認できたのである。
【産業上の利用可能性】
【００４９】
ヤマトシロアリはほぼ日本全土に生息し、一方、イエシロアリは千葉以西の温暖な海岸に沿った地域に生息しており、シロアリの被害は未だ発生している。このようなシロアリ被害に対して、本発明によれば、従来の駆除方法に比べて、シロアリ駆除率が極めて高く、かつ、人体に対する安全性にも配慮した建築物の防蟻方法が提供される。また、本発明の方法は、工場等の特殊大型建築物へも対応可能である。さらに、本発明の方法は、施工開始から防蟻効果を長時間維持できる。従って、本発明の防蟻方法は、産業上の利用価値及び利用可能性が非常に高い。
【符号の説明】
【００５０】
１，１ａ    土壌，土壌面
２    シロアリの巣
３    シロアリの蟻道
４    忌避剤
５    開口穴
６    点検蓋
Ａ１，Ａ２  構造部材の一方及び他方の表面
Ｃ１    建築物の構造部材（基礎）
Ｃ２    建築物の構造部材（束石）
Ｃ３    建築物の構造部材（床束）
Ｃ４    建築物の構造部材（土台）
Ｃ５    建築物の構造部材（大引）
Ｃ６    建築物の構造部材（柱）
Ｃ７    建築物の構造部材（土間コンクリート）
Ｃ８    建築物の構造部材（床コンクリート）
１０，２０，３０    第１・第２・第３餌木
１１，２１，３１    第１・第２・第３餌木の餌木本体
１２，２２，３２    第１・第２・第３餌木の蓋部材
１３，２３，３３    第１・第２・第３餌木のベイト剤
１４，２４，３４    第１・第２・第３餌木の空洞部
Ｐ１    第１餌木の配置間隔
Ｐ２，Ｐ３    第２餌木の配置間隔
Ｓ１    第１餌木１０の第１設置ステップ
Ｓ２    忌避剤５の塗布ステップ
Ｓ３    建築物構造部材Ｃ１〜Ｃ８への穿孔ステップ
Ｓ４    第２餌木２０の第２設置ステップ
Ｓ５    点検蓋６の蓋設置ステップ
Ｓ６    第３餌木３０の第３設置ステップ
【要約】
【課題】シロアリ駆除率が極めて高く、かつ、人体に対する安全性にも配慮した建築物の防蟻方法を提供する。
【解決手段】本発明の方法では、ベイト剤を含有した第１餌木を建築物の周囲又は床下に位置する土壌面に第１間隔をおきながら複数設置し（第１設置ステップＳ１）、第１餌木同士が離間した第１間隔において蟻道形成を阻止するよう、前記建築物の基礎、束石、床束、土台、大引、柱、土間コンクリート、床コンクリート、根太、及び外壁部材を含んだ構造部材の少なくとも一つに忌避剤を塗布する（塗布ステップＳ２）。忌避剤は硫黄粉体である。好ましくは、この構造部材の少なくとも一つの部材自体に第２間隔を置きながら穿孔し、複数の開口穴を形成し（穿孔ステップＳ３）、ベイト剤を含有しかつこの開口穴に適合可能な棒状体を成す第２餌木を各開口内に設置する（第２設置ステップＳ４）。
【選択図】図２【図１】
0005652772.tif 000002
【図２】
0005652772.tif 000003
【図３】
0005652772.tif 000004
【図４】
0005652772.tif 000005
【図５】
0005652772.tif 000006
【図６】
0005652772.tif 000007